(57)【特許請求の範囲】
【請求項１】
複数の凸部を有する平板状屋根に太陽電池モジュールパネルを取り付けるための太陽電池モジュールパネルの取付治具であって、
前記太陽電池モジュールパネルを支持する治具本体部と、当該治具本体部に設けられ、前記平板状屋根の前記凸部を挟持して固定する挟持固定部とを備え、
前記治具本体部は、前記太陽電池モジュールパネルを支持するための少なくとも２つの支持脚から成り、前記平板状屋根の前記複数の凸部のうち、少なくとも１つを挟持して固定する前記挟持固定部を備えているとともに、
前記治具本体部の前記支持脚間を繋ぐ補強部材が設けられていることを特徴とする太陽電池モジュールパネルの取付治具。
【請求項２】
複数の凸部を有する平板状屋根に太陽電池モジュールパネルを取り付けるための太陽電池モジュールパネルの取付構造であって、
請求項１に記載の太陽電池モジュールパネルの取付治具が前記平板状屋根に設置されており、
複数の太陽電池モジュールパネルの少なくとも１つの後部とそれとは別の前部とが１つの前記取付治具によって支持されて、前記太陽電池モジュールパネルが前記平板状屋根に取り付けられていることを特徴とする太陽電池モジュールパネルの取付構造。
【請求項３】
前記平板状屋根の前記複数の凸部は、屋根部材同士の端部間の目地を防水するために設ける目地カバーの部分であることを特徴とする請求項２に記載の太陽電池モジュールパネルの取付構造。
【発明の詳細な説明】
【技術分野】
【０００１】
本発明は、複数の凸部を有する平板状屋根に太陽電池モジュールパネルを取り付けるための取付治具、及びこの取付治具を用いた太陽電池モジュールパネルの取付構造に関するものである。
【背景技術】
【０００２】
従来から、複数の凸部を有する平板状屋根に太陽電池モジュールパネルを取り付けるための取付治具が知られている（例えば、特許文献１等を参照）。
【先行技術文献】
【特許文献】
【０００３】
【特許文献１】特開２００９−９１８２５号公報
【発明の概要】
【発明が解決しようとする課題】
【０００４】
特許文献１のような従来の太陽電池モジュールパネルの取付治具では、主に折板屋根などの平板状屋根を対象としている。
【０００５】
通常、折板屋根の複数の凸部は、比較的狭い略一定の間隔で設けられているので、設置される太陽電池モジュールパネルの下方には、挟持固定部で安定して支持するために用いる凸部が存在する場合が多い。
【０００６】
しかしながら、近年では、太陽電池モジュールパネルの需要が増加し、折板屋根だけでなく、様々なタイプの屋根にも太陽電池モジュールパネルを設置するための技術が要求されている。
【０００７】
例えば、一見同じような平板状屋根でも、屋根部材同士の端部間の目地を防水するために設ける目地カバーの部分を凸部としたものでは、特許文献１のような従来の太陽電池モジュールパネルの取付治具を用いて太陽電池モジュールパネルを取り付けようとしても無理がある。
【０００８】
何故なら、これら目地カバーの部分の間隔は、比較的広かったり、不規則であったりして、設置される太陽電池モジュールパネルの下方に、必ずしも挟持固定部で安定して支持するために用いる凸部としての目地カバーの部分が存在するとは限らないからである。
【０００９】
そこで、本発明は、複数の凸部を有する平板状屋根に太陽電池モジュールパネルを取り付ける際に、これら凸部の間隔に左右されずに安定して取り付けることができる太陽電池モジュールパネルの取付治具、及びこの取付治具を用いた太陽電池モジュールパネルの取付構造を提供することを目的としている。
【課題を解決するための手段】
【００１０】
前記目的を達成するために、本発明の太陽電池モジュールパネルの取付治具は、複数の凸部を有する平板状屋根に太陽電池モジュールパネルを取り付けるための太陽電池モジュールパネルの取付治具であって、前記太陽電池モジュールパネルを支持する治具本体部と、当該治具本体部に設けられ、前記平板状屋根の前記凸部を挟持して固定する挟持固定部とを備えていることを特徴とする。
【００１１】
ここで、前記治具本体部は、前記平板状屋根の前記複数の凸部に跨る長さとされ、前記平板状屋根の前記複数の凸部のうち、少なくとも２つを挟持して固定する複数の前記挟持固定部を備えていてもよい。
【００１２】
この場合、前記治具本体部には、前記太陽電池モジュールパネルを支持するための支持脚部が立設されているとよい。
【００１３】
また、前記治具本体部は、前記太陽電池モジュールパネルを支持するための少なくとも２つの支持脚から成り、前記平板状屋根の前記複数の凸部のうち、少なくとも１つを挟持して固定する前記挟持固定部を備えていてもよい。
【００１４】
この場合、前記治具本体部の前記支持脚間を繋ぐ補強部材が設けられているとよい。
【００１５】
本発明の太陽電池モジュールパネルの取付構造は、複数の凸部を有する平板状屋根に太陽電池モジュールパネルを取り付けるための太陽電池モジュールパネルの取付構造であって、上記した太陽電池モジュールパネルの取付治具が前記平板状屋根に設置されており、複数の太陽電池モジュールパネルの少なくとも１つの後部とそれとは別の前部とが１つの前記取付治具によって支持されて、前記太陽電池モジュールパネルが前記平板状屋根に取り付けられていることを特徴とする。
【００１６】
ここで、前記平板状屋根の前記複数の凸部は、屋根部材同士の端部間の目地を防水するために設ける目地カバーの部分であるとよい。
【発明の効果】
【００１７】
このような本発明の太陽電池モジュールパネルの取付治具は、複数の凸部を有する平板状屋根に太陽電池モジュールパネルを取り付けるための太陽電池モジュールパネルの取付治具である。
【００１８】
そして、太陽電池モジュールパネルを支持する治具本体部と、治具本体部に設けられ、平板状屋根の凸部を挟持して固定する挟持固定部とを備えた構成とされている。
【００１９】
こうした構成なので、太陽電池モジュールパネルを平板状屋根の複数の凸部の間隔に左右されずに安定して取り付けることができる。
【００２０】
ここで、治具本体部は、平板状屋根の複数の凸部に跨る長さとされ、平板状屋根の複数の凸部のうち、少なくとも２つを挟持して固定する複数の挟持固定部を備えている場合は、特に、平板状屋根の複数の凸部の間隔が一定でないときなどに有効である。
【００２１】
この場合、治具本体部には、太陽電池モジュールパネルを支持するための支持脚部が立設されていると、この支持脚部の長さ設定によって太陽電池モジュールパネルを所望の角度にすることができる。
【００２２】
また、治具本体部は、太陽電池モジュールパネルを支持するための少なくとも２つの支持脚から成り、平板状屋根の複数の凸部のうち、少なくとも１つを挟持して固定する挟持固定部を備えている場合は、特に、平板状屋根の複数の凸部の間隔が広いときなどに有効である。
【００２３】
この場合、治具本体部の支持脚間を繋ぐ補強部材が設けられていると、取付治具の強度を高めることができる。
【００２４】
こうした本発明の太陽電池モジュールパネルの取付構造は、複数の凸部を有する平板状屋根に太陽電池モジュールパネルを取り付けるための太陽電池モジュールパネルの取付構造である。
【００２５】
そして、上記した太陽電池モジュールパネルの取付治具が平板状屋根に設置されており、複数の太陽電池モジュールパネルの少なくとも１つの後部とそれとは別の前部とが１つの取付治具によって支持されて、太陽電池モジュールパネルが平板状屋根に取り付けられた構成とされている。
【００２６】
こうした構成なので、取付治具を太陽電池モジュールパネルに対して個別に設ける場合に比べて、取付治具の治具本体部の長さを短くできるため、施工性が良く、経済的に実施することができる。
【００２７】
ここで、平板状屋根の複数の凸部は、屋根部材同士の端部間の目地を防水するために設ける目地カバーの部分である場合は、目地カバーの間隔が、比較的広かったり、不規則であったりして、設置される太陽電池モジュールパネルの下方に、必ずしも凸部が存在するとは限らないので、特に有効である。
【図面の簡単な説明】
【００２８】
【図１】実施例１の太陽電池モジュールパネルの取付治具を用いた太陽電池モジュールパネルの取付構造の概略構成を説明する説明図である。
【図２】実施例１の太陽電池モジュールパネルの取付治具の概略構成を示す正面図である。
【図３】実施例１の太陽電池モジュールパネルの取付治具の挟持固定部の構成を説明する図であって、（ａ）は正面図であり、（ｂ）は側面図である。
【図４】実施例１の太陽電池モジュールパネルの取付治具の平板状屋根への取付状態を説明する部分拡大図である。
【図５】実施例２の太陽電池モジュールパネルの取付治具を用いた太陽電池モジュールパネルの取付構造の概略構成を説明する説明図である。
【図６】実施例２の太陽電池モジュールパネルの取付治具の部分を拡大して示す部分拡大図である。
【発明を実施するための形態】
【００２９】
以下、本発明を実施するための形態を、図面に示す実施例１，２に基づいて説明する。
【実施例１】
【００３０】
先ず、実施例１の構成について説明する。
【００３１】
図１は、実施例１の太陽電池モジュールパネルの取付治具を用いた太陽電池モジュールパネルの取付構造の概略構成を示している。
【００３２】
この実施例１の太陽電池モジュールパネルの取付構造では、屋根部材１１，１１，・・・同士の端部間の目地を防水するために凸部としての目地カバー１２，・・・の部分が設けられた平板状屋根１の上に、取付治具２，・・・を介して、太陽電池モジュールパネル３，・・・が取り付けられている。
【００３３】
なお、一番左側の太陽電池モジュールパネル３の左側端部のみは、上記特許文献１に開示した取付治具２Ａによって取り付けられている。
【００３４】
この実施例の太陽電池モジュールパネルの取付治具２については、図２に、その概略構成を示した。
【００３５】
この取付治具２は、２つの凸部としての目地カバー１２，１２に跨る長さのＬ型鋼から成る治具本体部２０と、治具本体部２０の四隅から下方に突出して設けられた挟持固定部２１，・・・とから主に構成されている。
【００３６】
ここで、治具本体部２０の上面には、左側の長い支持脚部２２と右側の短い支持脚部２３とが立設されている。
【００３７】
この支持脚部２２は、下側取付片２２ａが治具本体部２０の上面にボルト２４ａとナット２４ｂとによって固定されて立設されている。
【００３８】
この支持脚部２２の上側には、上側取付片２２ｂが設けられており、太陽電池モジュールパネル３の右側端部がボルト２５ａとナット２５ｂとによって固定される（図１も参照）。
【００３９】
この支持脚部２３は、下側取付片２３ａが治具本体部２０の上面にボルト２４ａとナット２４ｂとによって固定されて立設されている。
【００４０】
この支持脚部２３の上側には、上側取付片２３ｂが設けられており、太陽電池モジュールパネル３の左側端部がボルト２５ａとナット２５ｂとによって固定される（図１も参照）。
【００４１】
すなわち、支持脚部２２の方が、支持脚部２３よりも長いので、太陽電池モジュールパネル３，・・・は、右上がりに傾斜した角度に設置されることとなる（図１を参照）。
【００４２】
また、治具本体部２０の下面の四隅には、Ｌ型鋼から成る取付部材２６を介して挟持固定部２１が下方に突出してそれぞれ設けられている。
【００４３】
すなわち、図２に示したように、取付部材２６の水平部がボルト２７ａとナット２７ｂとによって固定されている。
【００４４】
ここで、挟持固定部２１は、図３に示したように、連結部２１０が折返部２１０ａ，２１０ａの部分で折り返されて形成されているとともに、折返部２１０ａ，２１０ａ間には、挿込口２１１が形成されている。
【００４５】
また、連結部２１０の中間位置には、貫通孔２１０ｂが設けられている。
【００４６】
さらに、連結部２１０の下端部には、挟持部２１ａ，２１ａが形成されている。
【００４７】
そして、取付部材２６の垂下部が挟持固定部２１の挿込口２１１から挿し込まれるとともに、この取付部材２６の垂下部に連結部２１０が貫通孔２１０ｂを通したボルト２８ａとナット２８ｂとによって仮止めされている。
【００４８】
そのうえで、図４に示したように、屋根部材１１，１１，・・・同士の端部の立上部１１ａ，１１ａ間に目地を防水するために嵌め込んで設けた目地カバー１２，・・・の上部を、挟持固定部２１の挟持部２１ａ，２１ａによって挟み込んで、ボルト２８ａとナット２８ｂとを締め付けることにより、取付治具２が平板状屋根１の上に設置される。
【００４９】
なお、平板状屋根１の目地部の防水構造は公知であるため、より詳細な説明については省略する。
【００５０】
次に、実施例１の作用効果について説明する。
【００５１】
このような実施例１の太陽電池モジュールパネルの取付治具２は、複数の凸部としての目地カバー１２，・・・の部分を有する平板状屋根１に太陽電池モジュールパネル３，・・・を取り付けるための太陽電池モジュールパネルの取付治具である。
【００５２】
そして、平板状屋根１の２つの目地カバー１２，１２の部分に跨る長さとされ、太陽電池モジュールパネル３，３を支持する治具本体部２０と、治具本体部２０に設けられ、これら２つの目地カバー１２，１２の部分を挟持して固定する複数の挟持固定部２１，・・・とを備えた構成とされている。
【００５３】
こうした構成なので、太陽電池モジュールパネル３，・・・を平板状屋根１の複数の凸部としての目地カバー１２，・・・の部分の間隔に左右されずに安定して取り付けることができる。
【００５４】
ここで、治具本体部２０には、太陽電池モジュールパネル３，３を支持するための支持脚部２２，２３が立設されている。
【００５５】
このため、これら支持脚部２２，２３の長さ設定によって太陽電池モジュールパネル３，・・・を所望の角度にすることができる。
【００５６】
こうした実施例１の太陽電池モジュールパネルの取付構造は、複数の凸部としての目地カバー１２，・・・を有する平板状屋根１に太陽電池モジュールパネル３，・・・を取り付けるための太陽電池モジュールパネルの取付構造である。
【００５７】
そして、上記した太陽電池モジュールパネルの取付治具２，・・・が平板状屋根１に設置されており、２つの太陽電池モジュールパネル３，３の一方の後部と他方の前部とが１つの取付治具２によって支持されて、太陽電池モジュールパネル３，・・・が平板状屋根１に取り付けられた構成とされている。
【００５８】
こうした構成なので、取付治具２を太陽電池モジュールパネル３に対して個別に設ける場合に比べて、取付治具２の治具本体部２０の長さを短くできるため、施工性が良く、経済的に実施することができる。
【００５９】
ここで、平板状屋根１の複数の凸部は、屋根部材１１，・・・同士の端部間の目地を防水するために設ける目地カバー１２，・・・の部分である。
【００６０】
このため、目地カバー１２，・・・の間隔が、比較的広かったり、不規則であったりして、設置される太陽電池モジュールパネル３，・・・の下方に、必ずしも凸部としての目地カバー１２，・・・の部分が存在するとは限らないので、特に有効である。
【実施例２】
【００６１】
次に、実施例２について説明する。
【００６２】
なお、実施例１で説明した内容と同一乃至均等な部分の説明については同一符号を付して説明する。
【００６３】
図５は、実施例２の太陽電池モジュールパネルの取付治具を用いた太陽電池モジュールパネルの取付構造の概略構成を示している。
【００６４】
この実施例２の太陽電池モジュールパネルの取付構造では、平板状屋根１の複数の凸部としての目地カバー１２，・・・の部分の間隔が広く、２つの太陽電池モジュールパネル３，３の一方の後部と他方の前部とが取付治具２’によって支持されて、太陽電池モジュールパネル３，・・・が平板状屋根１に取り付けられていることが実施例１の太陽電池モジュールパネルの取付構造と主に異なる。
【００６５】
この取付治具２’は、図６に示したように、右方向に向かって下るように傾斜した左側の支持脚２２０と略倒Ｌ字形の右側の支持脚２３０とから成る治具本体部２００と、右側の支持脚２３０の下部に設けられた１つの挟持固定部２１とから主に構成されている。
【００６６】
ここで、治具本体部２００は、左側の支持脚２２０の下端部と右側の支持脚２３０の角部近傍とが、ボルト２９ａとナット２９ｂとによって固定されるとともに、左側の支持脚２２０の上端部近傍と右側の支持脚２３０の右端部近傍とがビス４，４により斜材である補強部材２４０で繋がれて成る。
【００６７】
そして、右側の支持脚２３０の下端部と挟持固定部２１とは、実施例１における取付部材２６と挟持固定部２１との同様な取付方法で一体化されている。
【００６８】
なお、一番右側の太陽電池モジュールパネル３の左側端部は、上記特許文献１に開示した取付治具２Ｂによって取り付けられている。
【００６９】
このため、実施例２の取付治具２’は、特に、平板状屋根１の複数の凸部としての目地カバー１２，・・・の部分の間隔が広いときなどに有効である。
【００７０】
なお、他の構成及び作用効果については、実施例１と略同様であるので説明を省略する。
【００７１】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００７２】
例えば、上記した実施例１では、取付治具２の治具本体部２０を、平板状屋根１の２つの凸部としての目地カバー１２，１２の部分を跨ぐ長さとして実施したが、これに限定されず、３つ以上の目地カバー１２，・・・の部分を跨ぐ長さとして実施してもよい。
【００７３】
また、上記した実施例１では、取付治具２の治具本体部２０を、Ｌ型鋼を用いて実施したが、これに限定されず、例えば、開口部を下向きにしたＣ型鋼などを用いて実施してもよい。
【００７４】
さらに、上記した実施例１，２では、取付治具２，２’として鋼材を用いて実施したが、これに限定されず、例えば、強化プラスチックなどを用いて実施してもよい。
【００７５】
また、上記した実施例１，２では、１つの取付治具２，２’で２つの太陽電池モジュールパネル３，３を支持するようにして実施したが、これに限定されず、例えば、１つの取付治具２，２’で４つの太陽電池モジュールパネル３，・・・を支持するなどして実施してもよい。
【００７６】
さらに、上記した実施例１，２では、屋根部材１１，・・・同士の端部間の目地を防水するために設ける目地カバー１２，・・・の部分を複数の凸部とする平板状屋根１に適用して実施したが、これに限定されず、複数の凸部を有する折板屋根などに適用して実施してもよい。
【符号の説明】
【００７７】
１        平板状屋根
１１      屋根部材
１１ａ    屋根部材の立上部
１２      目地カバー
２        取付治具
２’      取付治具
２Ａ      取付治具
２Ｂ      取付治具
２０      治具本体部
２００    治具本体部
２１      挟持固定部
２１０    連結部
２１０ａ  折返部
２１０ｂ  貫通孔
２１１    挿込口
２１ａ    挟持部
２２      支持脚部
２２ａ    下側取付片
２２ｂ    上側取付片
２３      支持脚部
２３ａ    下側取付片
２３ｂ    上側取付片
２２０    支持脚
２３０    支持脚
２４０    補強部材
２４ａ    ボルト
２４ｂ    ナット
２５ａ    ボルト
２５ｂ    ナット
２６      取付部材
２７ａ    ボルト
２７ｂ    ナット
２８ａ    ボルト
２８ｂ    ナット
２９ａ    ボルト
２９ｂ    ナット
３        太陽電池モジュールパネル
４        ビス
【図１】
0006013060.tif 000002
【図２】
0006013060.tif 000003
【図３】
0006013060.tif 000004
【図４】
0006013060.tif 000005
【図５】
0006013060.tif 000006
【図６】
0006013060.tif 000007